【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
患者を監視する患者監視システムであって、
複数の患者の生理学的センサを介して患者データを取得する患者データ取得システムと、
第１の患者モニタディスプレイと、
第２の患者モニタディスプレイと、
前記第１の患者モニタディスプレイに組み込まれる、又は動作可能に接続される第１のオーディオシステムと、
前記第２の患者モニタディスプレイに組み込まれる、又は動作可能に接続される第２のオーディオシステムと、
前記第１の患者モニタディスプレイ及び前記第２の患者モニタディスプレイの少なくとも１つを介して、前記患者データ取得システムにより取得された患者データを出力し、前記患者データ取得システムにより取得された患者データに少なくとも部分的に基づき生成された患者オーディオモニタ信号を、前記第１及び第２のオーディオシステムの少なくとも１つを使用して出力するようプログラムされる制御システムとを有し、
前記制御システムが、前記第１及び第２のオーディオシステムの対応する１つに関連付けられる第１のオーディオ構成及び第２のオーディオ構成を制御し、前記第１及び第２の患者モニタディスプレイの対応する１つの第１の視覚的構成及び第２の視覚的構成を制御し、前記第１及び第２の患者モニタディスプレイの一方の処理を前記第１及び第２の患者モニタディスプレイの他方へ転送し、前記第１及び第２の患者モニタディスプレイの少なくとも１つが、連続的に作動されるようプログラムされる１つ又は複数のプロセッサを含む、患者監視システム。
【請求項２】
前記制御システムが、
前記患者オーディオモニタ信号の出力の動作状態を検出し、
前記患者オーディオモニタ信号の出力の動作状態の喪失を検出することに基づき、前記第１及び第２のオーディオシステムの１つから前記第１及び第２のオーディオシステムの他方に前記患者オーディオモニタ信号を転送する、請求項１に記載の患者監視システム。
【請求項３】
前記第１のオーディオシステムが、前記第１の患者モニタディスプレイに組み込まれ、
前記第２のオーディオシステムは、前記第２の患者モニタディスプレイに組み込まれる、請求項１に記載の患者監視システム。
【請求項４】
前記第１の患者モニタディスプレイ及び前記第１のオーディオシステムが、患者室内に配置され、
前記第２の患者モニタディスプレイ及び前記第２のオーディオシステムは、前記患者室外に配置される、請求項１に記載の患者監視システム。
【請求項５】
前記第１及び第２のオーディオ構成の各々が所定のパラメータを持ち、前記第１のオーディオ構成の前記所定のパラメータは、前記第２のオーディオ構成の前記所定のパラメータとは異なる、請求項１に記載の患者監視システム。
【請求項６】
前記患者オーディオモニタ信号が、前記第１及び第２のオーディオシステムの少なくとも１つにより出力されることを保証するため、前記制御システムが、前記第１及び第２のオーディオシステムの１つからの前記患者オーディオモニタ信号を前記第１及び第２のオーディオシステムの他方へ転送する、請求項５に記載の患者監視システム。
【請求項７】
前記第１及び第２のオーディオ構成の前記所定のパラメータが、アラーム音のタイプ及びアラームの音量を含み、前記所定のパラメータの各々は、個別に構成可能である、請求項５に記載の患者監視システム。
【請求項８】
第１のオーディオシステムが、前記前記第１及び第２のオーディオシステムの少なくとも１つの故障を検出する、請求項１乃至７の任意の一項に記載の患者監視システム。
【請求項９】
前記制御システムが、前記故障の検出に基づき、前記第１及び第２のオーディオシステムの１つの処理を、前記第１及び第２のオーディオシステムの他方に転送する、請求項８に記載の患者監視システム。
【請求項１０】
前記患者室の外部に配置され、前記第２のオーディオシステムから離間された第３のオーディオシステムを更に含み、前記第３のオーディオシステムが、前記制御システムにより制御される第３の患者モニタディスプレイを含む、請求項１乃至９の任意の一項に記載の患者監視システム。
【請求項１１】
前記制御システムが、前記第１及び第２の患者モニタディスプレイの対応する１つの前記第１の視覚的構成及び前記第２の視覚的構成を制御するようプログラムされる１つ又は複数のプロセッサを更に含み、前記第１及び第２の視覚的構成が、色と強度とを含むパラメータを備える少なくとも１つの視覚アラームを含む、請求項１乃至１０の任意の一項に記載の患者監視システム。
【請求項１２】
複数の患者の生理学的センサを介して患者データを取得する患者データ取得システムと、
患者室の内部に配置される第１の患者モニタディスプレイと、
前記患者室の外側に配置される第２の患者モニタディスプレイと、
前記患者室の内部の前記第１の患者モニタと共に配置される第１のオーディオシステムと、
前記患者室の外部の前記第２の患者モニタと共に配置される第２のオーディオシステムと、
前記患者データ取得システムにより取得された患者データを、前記第１の患者モニタディスプレイ及び前記第２の患者モニタディスプレイの少なくとも１つを介して出力し、前記患者データ取得システムにより取得される前記患者データに少なくとも部分的に基づき生成される患者オーディオモニタ信号を、前記第１及び第２のオーディオシステムの少なくとも１つを使用して出力する制御システムとを更に有し、
前記制御システムが、前記第１のオーディオシステムを動作させるための第１のオーディオ構成と、前記第２のオーディオシステムを動作させるための第２のオーディオ構成とでプログラムされる１つ又は複数のプロセッサを含む、請求項１に記載の患者監視システム。
【請求項１３】
前記第１及び第２のオーディオ構成がそれぞれ所定のパラメータを持ち、前記第１のオーディオ構成の前記所定のパラメータは、前記第２のオーディオ構成の前記所定のパラメータとは独立している、請求項１２に記載の患者監視システム。
【請求項１４】
患者室における患者を監視する方法において、
前記患者室の内部に配置されるオーディオシステム及び前記患者室の内部に配置される患者モニタディスプレイと、前記患者室の外部に配置されるオーディオシステム及び前記患者室の外部に配置される患者モニタディスプレイとの少なくとも１つを使用して生成された患者モニタ信号を出力するステップであって、前記患者室の内部に配置されるオーディオシステムを使用して前記患者モニタ信号を出力するとき、第１のオーディオ構成を使用し、前記患者室の外部に配置されるオーディオシステムを使用して前記患者モニタ信号を出力するとき、第２のオーディオ構成を使用する、ステップと、
前記患者室の内部に配置されるオーディオシステムと前記患者室の外部に配置されるオーディオシステムとの少なくとも１つを用いて、前記患者モニタ信号が出力されることを保証するため、前記患者室の内部に配置されるオーディオシステム及び前記患者室の外部に配置されるオーディオシステムを電子的にリンクするステップであって、前記生成が、前記患者室の内部に配置される患者モニタディスプレイを用いて前記患者モニタ信号を出力するとき第１の視覚的構成を使用し、前記患者室の外部に配置されるビデオシステムを用いて前記患者モニタ信号を出力するとき第２の視覚的構成を使用する、ステップと、
前記患者室の内部に配置されるビデオシステムと前記患者室の外部に配置されるビデオシステムとの少なくとも１つを用いて、前記患者モニタ信号が出力されることを保証するため、前記患者室の内部に配置されるビデオシステム及び前記患者室の外部に配置されるビデオシステムを電子的にリンクするステップと、
前記患者オーディオモニタ信号が、前記第１及び第２のオーディオシステムの少なくとも１つにより出力されることを保証するため、前記第１及び第２のオーディオシステムの１つからの前記患者オーディオモニタ信号を前記第１及び第２のオーディオシステムの他方へ転送するステップとを有する、方法。
【請求項１５】
ユーザインターフェースを提供するステップを更に有し、
前記ユーザインターフェースを介して、前記患者室の内部に配置されるオーディオシステムで使用される第１のオーディオ構成と、前記患者室の外部に配置されるオーディオシステムで使用される第２のオーディオ構成とを、ユーザが独立して構成することができる、請求項１４に記載の方法。